(57)【特許請求の範囲】
【請求項１】
第１の医療装置と第２の医療装置とを含む医療システムであって、
前記第１の医療装置に設けられ、前記第１の医療装置のエラーを検知する第１のエラー検知部を有し、第１の出力についての第１の出力状態を検知する第１の出力状態検知部と、
前記第１の医療装置に設けられ、前記第１の出力状態検知部により検知された前記第１の出力状態に応じた第１の音を出力する第１の音出力部と、
前記第１の医療装置に設けられ、前記第１の音についての第１の出力音量情報を前記第２の医療装置に送信する第１の出力音量情報送信部と、
前記第１の医療装置に設けられ、前記第１のエラー検知部での検知に基づいて、前記第１のエラー信号を送信する第１のエラー送信部と、
前記第２の医療装置に設けられ、第２の出力についての第２の出力状態を検知する第２の出力状態検知部と、
前記第２の医療装置に設けられ、前記第２の出力状態検知部により検知された前記第２の出力状態に応じた第２の音を出力する第２の音出力部と、
前記第２の医療装置に設けられ、前記第１の出力音量情報と前記第１のエラー信号とを受信する第１の出力音量情報受信部と、
前記第２の出力状態検知部により検知された前記第２の出力状態に応じて、前記第１の出力音量情報に基づいて、前記第２の音出力で出力される前記第２の音の基準音量を設定し、前記第２の音出力部から出力される前記第２の音の出力を制御する第１の音出力制御部と、
前記第２の音出力制御部に設けられ、前記第１のエラー信号に基づいて前記第２の音の基準音量を下げる設定を行なう第１の出力音量調整部と、
を有することを特徴とする医療システム。
【請求項２】
前記第１の音出力制御部は、前記第１の出力音量情報に基づいて、前記第１の音の音量と一致するように前記第２の音出力で出力される前記第２の音の基準音量を設定することを特徴とする請求項１に記載の医療システム。
【請求項３】
前記第１の出力音量調整部は、前記第１の音出力部から装置におけるエラーの発生を示す音よりも前記第２の音の基準音量が小さい音量になるように前記第２の音の音量を調整することを特徴とする請求項１に記載の医療システム。
【請求項４】
前記第１の出力音量調整部は、前記第１の音出力部で前記エラーの発生が停止したときに前記第２の音を前記基準音量に戻すことを特徴とする請求項１に記載の医療システム。
【請求項５】
前記第２の医療装置に設けられ、前記第２の医療機器のエラーを検知する第２のエラー検知部を有し、前記第２の音についての第２の出力音量情報を前記第１の医療装置に送信する第２の出力音量情報送信部と、
前記第２の医療装置に設けられ、前記第２のエラー検知部での検知に基づいて、第２のエラー信号を送信する第２のエラー送信部と
前記第１の医療装置に設けられ、前記第２の出力音量情報と第２のエラー信号とを受信する第２の出力音量情報受信部と、
前記第２の出力状態検知部により検知された前記第２の出力状態に応じて、前記第２の出力音量情報に基づいて、前記第１の音出力で出力される前記第１の音の基準音量を設定し、前記第１の音出力部から出力される前記第１の音の出力を制御する第２の音出力制御部と、
前記第１の音出力制御部に設けられ、前記第２のエラー信号に基づいて前記第１の音の基準音量を下げる設定を行なう第２の出力音量調整部と、
を有することを特徴とする請求項１に記載の医療システム。
【請求項６】
前記第２の音出力制御部は、前記第２の出力音量情報に基づいて、前記第２の音の音量と一致するように前記第１の音出力で出力される前記第２の音の基準音量を設定することを特徴とする請求項５に記載の医療システム。
【請求項７】
前記第２の出力音量調整部は、前記第２の音出力部から装置におけるエラーの発生を示す音よりも前記第１の音の基準音量が小さい音量になるように前記第２の音の音量を調整することを特徴とする請求項１に記載の医療システム。
【請求項８】
前記第１医療装置及び前記第２の医療装置のそれぞれは、被検体に対する処置を行うための治療装置であり、
前記第１の音出力部および前記第２の出力部が出力する音は、前記第１医療装置及び前記第２の医療装置のそれぞれにおける、前記処置のためのエネルギー出力が行われていることを示す音であることを特徴とする請求項１に記載の医療システム。
【請求項９】
第１の出力音量調整部は、第３の医療装置から出力される音を検出すると、前記第２の音出力部から出力される前記第２の音の出力音量を、前記第３の医療装置から出力される音の出力音量よりも下げることを特徴とする請求項１に記載の医療システム。
【請求項１０】
前記第３の医療装置は、心電計であることを特徴とする請求項８に記載の医療システム。
【請求項１１】
前記第１の音出力制御部は、第３の医療装置から出力される音を検出すると、前記第１の音出力部から出力される前記第１の音の出力音量を、前記第３の医療装置から出力される音の出力音量よりも下げることを特徴とする請求項２に記載の医療システム。
【請求項１２】
前記第３の医療装置は、心電計であることを特徴とする請求項１０に記載の医療システム。
【発明の詳細な説明】
【技術分野】
【０００１】
本発明は、医療システムに関し、特に、それぞれが音出力機能を有する複数の医療装置を含む医療システムに関する。  
【背景技術】
【０００２】
従来より、手術において、複数の医療装置が使用される場合がある。例えば、生体組織の切開及び凝固の行うための装置である超音波出力装置と高周波出力装置とが一緒に使用される場合がある。【０００３】
超音波出力装置は、超音波振動により、処置対象の生体組織に対する処置を行う装置であり、高周波出力装置は、高周波電流により、その処置を行う装置である。これらの医療装置は、手術室に設置され、処置対象の部位、処置目的等に応じて使い分けられる。【０００４】
また、医療装置の中には、音を出力する機能を有するものもある。例えば、術者が処置のためのエネルギー出力の指示スイッチを押下してエネルギー出力を行うと、医療装置は、処置用のエネルギーを出力中であることを、術者に知らせるあるいは認識させるために、所定の音を所定の音量で出力する。このような音出力機能が装置毎に設けられ、その音量設定は装置毎に行われる。【０００５】
従来の医療システムには、例えば、米国特許出願公開公報第2008/0015473号明細書に提案されているように、２つの医療装置が一緒に使用される場合に、２つの医療装置が互いに通信を行うシステムがある。【０００６】
また、米国特許第6402741号明細書あるいは米国特許第5318563号明細書に提案されているように、医療機器がスピーカを有して、音により指示、あるいは音声メッセージを出力するものもある。【０００７】
しかし、従来の医療システムでは、スピーカからの音の出力音量の設定は医療装置毎に行われ、複数の医療装置間では出力音量レベルに関する連動あるいは連携はされていない。【０００８】
例えば、一の医療装置において出力音量レベルが変更されても、他の医療装置の出力音量レベルは変更されない。そのため、一の医療装置において変更された出力音量レベルが他の医療装置より出力される音の出力音量レベルより低いと、他の医療装置の音が出力されているときに、変更したその一の医療装置が出力する音を術者が認識できない虞がある。【０００９】
本願発明は、以上の問題に鑑みてなされたものであり、複数の医療装置間における出力音量レベルの連動あるいは連携が可能な医療システムを提供することを目的とする。
【発明の開示】
【課題を解決するための手段】
【００１０】
本発明の一態様の医療システムは、第１の医療装置と第２の医療装置とを含む医療システムであって、前記第１の医療装置に設けられ、前記第１の医療装置のエラーを検知する第１のエラー検知部を有し、第１の出力についての第１の出力状態を検知する第１の出力状態検知部と、前記第１の医療装置に設けられ、前記第１の出力状態検知部により検知された前記第１の出力状態に応じた第１の音を出力する第１の音出力部と、前記第１の医療装置に設けられ、前記第１の音についての第１の出力音量情報を前記第２の医療装置に送信する第１の出力音量情報送信部と、前記第１の医療装置に設けられ、前記第１のエラー検知部での検知に基づいて、前記第１のエラー信号を送信する第１のエラー送信部と、前記第２の医療装置に設けられ、第２の出力についての第２の出力状態を検知する第２の出力状態検知部と、前記第２の医療装置に設けられ、前記第２の出力状態検知部により検知された前記第２の出力状態に応じた第２の音を出力する第２の音出力部と、前記第２の医療装置に設けられ、前記第１の出力音量情報と前記第１のエラー信号とを受信する第１の出力音量情報受信部と、前記第２の出力状態検知部により検知された前記第２の出力状態に応じて、前記第１の出力音量情報に基づいて、前記第２の音出力で出力される前記第２の音の基準音量を設定し、前記第２の音出力部から出力される前記第２の音の出力を制御する第１の音出力制御部と、前記第２の音出力制御部に設けられ、前記第１のエラー信号に基づいて前記第２の音の基準音量を下げる設定を行なう第１の出力音量調整部と、を有する。
【図面の簡単な説明】
【００１１】
【図１】本発明の実施の形態に係る手術システム１の構成を示す構成図である。
【図２】本発明の実施の形態に係る高周波出力装置１２の構成を示すブロック図である。
【図３】本発明の実施の形態に係る超音波出力装置１５の構成を示すブロック部である。
【図４】本発明の実施の形態に係るタッチパネル２０と２１に表示される出力音量設定画面の例を示す図である。
【図５】本発明の実施の形態に係る、高周波出力装置１２と超音波出力装置１５の起動時の出力音量レベルの設定処理の流れの例を示すフローチャートである。
【図６】本発明の実施の形態に係る、高周波出力装置１２と超音波出力装置１５の使用中に、高周波出力装置１２と超音波出力装置１５の一方において出力音量レベルの変更があったとき、変更があったことを他方へ通知する通知処理の流れの例を示すフローチャートである。
【図７】本発明の実施の形態に係る、高周波出力装置１２と超音波出力装置１５の使用中に、他の装置において出力音量レベルの変更があったときの出力音量レベルの変更処理、及びエネルギー出力指示がされたときの音出力処理の流れの例を示すフローチャートである。
【図８】本発明の実施の形態に係る、エネルギー出力指示がされたときの音出力の変化を説明するための図である。
【図９】本発明の実施の形態に係る、出力音量レベルの連動状態の確認及び設定をするための画面の例を示す図である。
【図１０】本発明の実施の形態の変形例に係る、本変形例に係る高周波出力装置１２と超音波出力装置１５の学習モードの処理の例を示すフローチャートである。
【図１１】本発明の実施の形態の変形例に係る、高周波出力装置１２における心電計のエラー音発生時における処理の例を示すフローチャートである。
【発明を実施するための最良の形態】
【００１２】
以下、本発明を、実施の形態により説明する。【００１３】
（システム構成）
図１は、本発明の実施の形態に係る手術システムの構成を示す構成図である。手術システム１は、高周波治療装置２と、超音波治療装置３とを含んで構成される医療システムである。【００１４】
高周波治療装置２は、高周波電流によって処置対象の生体組織に対する処置を行う処置具としてのハンドピース１１と、このハンドピース１１に対して高周波電流を出力する高周波出力装置１２とを有する医療装置である。超音波治療装置３は、超音波振動によって処置対象の生体組織に対する処置を行う処置具としてのハンドピース１４と、このハンドピース１４に内蔵された超音波振動子を超音波振動させるための超音波駆動信号を出力する超音波出力装置１５とを有する医療装置である。【００１５】
また、高周波出力装置１２と超音波出力装置１５は、通信ケーブル１６により接続され、相互にデータ通信が可能となっている。【００１６】
ハンドピース１１は、把持部１１ａと、把持部１１ａから先端側に延出したシース部１１ｂと、シース部１１ｂの先端部に設けられた処置部（図示せず）とを有する処置具である。ケーブル１１ｃが把持部１１ａの後端側から延出しており、ケーブル１１ｃの後端のハンドピースコネクタ１１ｄは、高周波出力装置１２の出力コネクタに着脱自在となっている。【００１７】
さらに、高周波出力装置１２には、高周波出力指示のためのフットスイッチ１７がケーブル１７ａを介して接続されている。術者は、フットスイッチ１７を押下して操作することにより、ハンドピース１１の処置部において、高周波電流による処置を行うことができる。【００１８】
ハンドピース１４は、超音波出力指示のためのスイッチ（図示せず）が設けられた把持部１４ａと、把持部１４ａから先端側に延出するシース部１４ｂと、シース部１４ｂの先端部に設けられた処置部（図示せず）とを有する処置具である。ケーブル１４ｃが、把持部１４ａの後端側から延出しており、ケーブル１４ｃの後端のハンドピースコネクタ１４ｄが超音波波出力装置１５の出力コネクタに着脱自在となっている。術者は、ハンドピース１４に設けられたスイッチ（図示せず）を押下して操作することにより、ハンドピース１４の処置部において、超音波振動による処置を行うことができる。【００１９】
なお、後述するように、超音波出力装置１５は、高周波出力装置１２からの高周波電流信号である高周波出力の供給を受けて、高周波信号と超音波駆動信号の同時出力が可能となっている。よって、ケーブル１４ｃ内には高周波信号を伝達するための２本の高周波ケーブルも挿通されている。【００２０】
さらに、高周波出力装置１２と超音波出力装置１５は、それぞれスピーカ１８と１９を有している。高周波出力装置１２と超音波出力装置１５は、それぞれ高周波出力と超音波出力がされているとき、等に、スピーカ１８と１９から所定の音を出力する。【００２１】
また、高周波出力装置１２と超音波出力装置１５には、それぞれ液晶表示装置（ＬＣＤ）を有するタッチパネル２０と２１が設けられており、各種情報の表示、指示及び設定が可能となっている。【００２２】
（高周波出力装置の構成）
図２は、高周波出力装置１２の構成を示すブロック図である。被検体に対する処置を行うための治療装置である高周波出力装置１２は、正弦波及びバースト波を生成するための波形生成回路２１を内蔵し、この波形生成回路２１から出力される正弦波又はバースト波の信号は、共振回路２２を経てアンプ２３に入力される。【００２３】
アンプ２３により増幅された信号は、出力トランス２４の１次巻線側に印加され、２次巻線側に焼灼用の高周波出力である高周波信号が発生する。  
この出力トランス２４の２次巻線は、出力される高周波信号を切り替えるリレー切替回路２５を介して例えば４つの出力コネクタ２６ａ、２６ｂ、２６ｃ、２６ｄと、ドッキングコネクタ２６ｅとに接続される。ドッキングコネクタ２６ｅは、雌コネクタであり、後述する超音波出力装置１５の雄型のドッキングコネクタ４６ｃと接続される。ドッキングコネクタ２６ｅは、高周波出力装置１２の筐体の底板に設けられる。【００２４】
また、共振回路２２には、電圧可変の電源回路２７から電源電圧が供給され、波形生成回路２１と電源回路２７は、制御部である中央処理装置（以下、ＣＰＵという）２８により制御される。ＣＰＵ２８は、出力モードの設定や出力設定値等に対応して、波形生成回路２１と電源回路２７を制御する。
上記出力トランス２４の２次巻き線の出力信号は、検出部２９を構成する電圧検出回路２９ａと電流検出回路２９ｂとに入力される。
電圧検出回路２９ａと電流検出回路２９ｂは、出力トランス２４の２次巻き線から出力される高周波信号の電圧及び電流を検出すなわち測定する。検出された電圧と電流信号は、それぞれアナログデジタル変換器（以下、Ａ／Ｄ変換器という）３０ａ、３０ｂによりデジタルの電圧信号及び電流信号に変換され、ＣＰＵ２８に入力される。【００２５】
ＣＰＵ２８は、入力された電圧信号及び電流信号からそれらの積の高周波電力を検出すなわち算出する。そして、ＣＰＵ２８は、検出された高周波電力の値が予め設定された設定値となるように電源回路２７の電源電圧を制御する。  
また、ＣＰＵ２８は、通信を行う通信回路３１を介して通信コネクタ３２と接続されている。この通信コネクタ３２は通信ケーブル１６を介して、図３に示す超音波出力装置１５側の通信コネクタ５０と接続される。  
上記リレー切替回路２５と接続されたドッキングコネクタ２６ｅは、上述したように超音波出力装置１５側の雄コネクタであるドッキングコネクタ４６ｃと着脱自在に接続される。【００２６】
また、このドッキングコネクタ２６ｅにおける例えば２つ接続検知用コネクタピンは、ドッキングコネクタ接続検知回路３３と接続され、このドッキングコネクタ接続検知回路３３は、接続検知用コネクタピンを用いて、ドッキングコネクタ２６ｅと超音波出力装置１５のドッキングコネクタ４６ｃとの接続を常時検知する。【００２７】
この場合、２つの接続検知用コネクタピンは、他方のドッキングコネクタ４６ｃ側の例えば短絡設定された２つのコネクタピンと接続されるように設定されている  
従って、２つの接続検知用コネクタピンが導通状態か否かを検知することにより、２つのドッキングコネクタ２６ｅと４６ｃ同士が接続されているか否かの接続検知をすることができる。【００２８】
そして、ドッキングコネクタ接続検知回路３３による接続検知結果は、ＣＰＵ２８に伝達される。ＣＰＵ２８は、このドッキングコネクタ接続検知回路３５による接続検知結果が未接続の場合には、超音波出力と高周波出力との同時出力を禁止する。  
換言すると、ＣＰＵ２８は、ドッキングコネクタ２６ｅと４６ｃとが接続検知された場合のみ、超音波出力と高周波出力との同時出力を許可する。【００２９】
また、ドッキングコネクタ接続検知回路３３は、２つのドッキングコネクタ２６ｅと４６ｃ同士の接続を検知し、かつ超音波出力と高周波出力の同時出力が指示あるいは設定されている場合には、出力トランス２４の出力信号がドッキングコネクタ２６ｅ側に出力されるように、リレー切替回路２５を切り替える。なお、ドッキングコネクタ接続検知回路３３でなく、ＣＰＵ２８がその切替の制御を行うようにしても良い。  
さらに、ＣＰＵ２８には、フットスイッチ１７からの操作信号が、ケーブル１７ａが接続されるコネクタ３４を介して入力される。【００３０】
さらにまた、高周波出力装置１２のスピーカ１８は、ＣＰＵ２８の制御の下、音源回路３５により駆動される。フットスイッチ１７が操作されて高周波出力の指示がされると、ＣＰＵ２８は、その指示がされている間、高周波出力に応じた音を所定の出力音量レベルで出力するように、音源回路３５を制御する。また、高周波出力装置１２においてエラーが発生すると、ＣＰＵ２８は、そのエラー出力中、エラーの発生を示す音を所定の出力音量レベルで出力するように、音源回路３５を制御する。【００３１】
すなわち、ＣＰＵ２８は、エネルギー出力、エラー出力等の所定の出力についての出力状態を検知する出力状態検知部を構成し、所定の出力が検知されると、その出力に応じた音を所定の出力音量レベルで出力する。ＣＰＵ２８は、所定の出力を検知すると、その検知された出力状態に応じて、スピーカ１８から出力される音の出力を制御する音出力制御部を構成する。そして、スピーカ１８は、その検知された出力状態に応じた音を出力する音出力部を構成する。【００３２】
高周波出力装置１２のタッチパネル２０は、操作信号、設定信号などの入力信号をＣＰＵ２８へ出力し、ＣＰＵ２８からの画像信号に基づいて、画像をＬＣＤの画面上に表示する。ユーザは、タッチパネル２０の画面を用いて、スピーカ１８から出力される音の音量を設定することができる。【００３３】
高周波出力装置１２は、ＣＰＵ２８に接続されたフラッシュメモリ３６を有する。フラッシュメモリ３６には、高周波出力制御プログラム、出力音量設定プログラム、各種設定値などが記憶されている。【００３４】
従って、ハンドピース１１が高周波出力装置１２に接続され、フットスイッチ１７が押下されると、ＣＰＵ２８は、出力トランス２４から指定あるいは設定された値の高周波出力を、ハンドピース１１が接続された出力コネクタから出力するように、波形生成回路２１及び電源回路２７を制御する。ＣＰＵ２８は、高周波出力が指示されているとき、すなわちフットスイッチ１７が押下されてエネルギー出力が指示されている間、所定の音をスピーカ１８から出力し続ける。【００３５】
また、ＣＰＵ２８は、高周波出力装置１２において発生したエラーがあれば、そのエラーを検出して、音源回路３５を駆動して所定のエラー出力に対応する音をスピーカ１８から出力する。【００３６】
なお、ＣＰＵ２８は、エラーの発生状態を示す情報を、フラッシュメモリ３６の所定の記憶領域に書き込む。例えば、高周波出力装置１２内において何らかのエラーが発生すると、そのエラー出力がＣＰＵ２８によって検出され、ＣＰＵ２８は、所定の記憶領域に、エラーが発生していることを示す１のフラグにセットする。エラーの発生原因がなくなると、エラー出力も出力されなくなるので、ＣＰＵ２８は、その所定領域に書き込んでセットしたフラグを、エラーが発生していないことを示す０に書き換える。そして、ＣＰＵ２８は、エラーの有無を示すフラグの状態に変化があると、通信回路３１を介して、超音波出力装置１５へフラグ情報を送信する処理を行う。【００３７】
（超音波出力装置の構成）
図３は、超音波出力装置１５の構成を示すブロック部である。被検体に対する処置を行うための治療装置である超音波出力装置１５は、発振回路を内蔵した出力制御回路４１を有する。この出力制御回路４１は、制御部としてのＣＰＵ４２の制御下で、その発振回路で発振された発振信号の周波数と電流を調整してアンプ４３に出力する。  
アンプ４３により増幅された信号は、出力回路４４に入力され、この出力回路４４の図示しないトランスにより電圧増幅されて、トランスの２次巻き線から超音波駆動（出力）信号として出力される。【００３８】
この超音波駆動信号は、この信号を切り替えて出力するリレー切替回路４５を介して２つの出力コネクタ４６ａ、４６ｂに出力される。なお、アンプ４３のゲインは、ＣＰＵ４２により制御される。  
２つの出力コネクタのうちの１つの出力コネクタ４６ａは、雄コネクタであるドッキングコネクタ４６ｃとも接続されている。ドッキングコネクタ４６ｃは、超音波出力装置１５の筐体の天板に設けられる。出力コネクタ４６ａには、モノポーラの高周波電流出力も可能なハンドピースが接続可能となっている。なお、ここでは、超音波出力装置１５とハンドピース１４がモノポーラの高周波電流を出力する場合を説明するが、超音波出力装置１５とハンドピース１４は、バイポーラの高周波電流を出力するものであってもよい。【００３９】
なお、出力コネクタ４６ｂには、ドッキングコネクタ４６ｃとは接続されていないで、高周波出力装置１２とは独立して超音波を出力する超音波専用のハンドピースが接続される。【００４０】
出力回路４４から出力される超音波駆動信号は、検出部４７を構成する電圧検出回路４７ａと電流検出回路４７ｂとに入力され、それぞれ電圧及び電流が検出すなわち測定される。検出された電圧及び電流は、電圧検出回路４７ａと電流検出回路４７ｂ内部のＡ／Ｄ変換器を介してそれぞれＣＰＵ４２に入力される。  
ＣＰＵ４２は、設定された電力を出力回路４４から出力するように、検出部４７で検出された電圧及び電流に基づいて出力制御回路４１を介して定電流制御を行う。【００４１】
このため、出力回路４４から出力する際の出力値の制御情報を、出力制御回路４１内のメモリに一時保持し、ＣＰＵ４２はその後に検出された電圧及び電流により出力制御回路４１を介して直前の制御情報を補正するように制御する。  
また、ＣＰＵ４２は、通信を行う通信回路４９を介して通信コネクタ５０と接続されている。この通信コネクタ５０は通信ケーブル１６を介して図２に示す高周波出力装置１２側の通信コネクタ３２と接続される。よって、ＣＰＵ４２とＣＰＵ２８は、通信ケーブル１６を介して互いに送受信を行うことができる。  
また、２つの出力コネクタ４６ａ、４６ｂにおけるコネクタ接続検知ピンは、ハンドピースコネクタ接続検知回路（以下、ＨＰコネクタ接続検知回路という）５１と接続されている。そして、このＨＰコネクタ接続検知回路５１は、ハンドピースコネクタ１４ｄの出力コネクタ４６ａ、４６ｂへの接続／未接続を検知し、その検知結果をＣＰＵ４２へ出力する。【００４２】
ＣＰＵ４２は、検知結果の情報に基づいて、ハンドピースが接続された出力コネクタに出力回路４４からの出力信号（つまり、超音波駆動信号）を供給するように、出力制御回路４１を介してリレー切替回路４５の切替を制御する。なお、ＣＰＵ４２がリレー切替回路４５の切替を直接制御するようにしても良い。  
さらに、超音波出力装置１５は、音源回路５２により駆動されるスピーカ１９を有している。ハンドピース１４のスイッチが操作されて超音波出力の指示がされると、ＣＰＵ４２は、その指示がされている間、超音波出力に応じた音を所定の出力音量レベルで出力するように、音源回路５２を制御する。また、超音波出力装置１５においてエラーが発生すると、ＣＰＵ４２は、そのエラー出力中、エラーの発生を示す音を所定の出力音量レベルで出力するように、音源回路５２を制御する。【００４３】
すなわち、ＣＰＵ４２は、エネルギー出力、エラー出力等の所定の出力についての出力状態を検知する出力状態検知部を構成し、所定の出力が検知されると、その出力に応じた音を所定の出力音量レベルで出力する。ＣＰＵ４２は、所定の出力を検知すると、その検知された出力状態に応じて、スピーカ１９から出力される音の出力を制御する音出力制御部を構成する。そして、スピーカ１９は、その検知された出力状態に応じた音を出力する音出力部を構成する。【００４４】
超音波出力装置１５のタッチパネル２１は、操作信号、設定信号などの入力信号をＣＰＵ４２へ出力し、ＣＰＵ４２からの画像信号に基づいて、画像をＬＣＤの画面上に表示する。ユーザは、タッチパネル２１の画面を用いて、スピーカ１９から出力される音の音量を設定することができる。【００４５】
超音波出力装置１５は、ＣＰＵ４２に接続されたフラッシュメモリ５３を有する。フラッシュメモリ５３には、超音波出力制御プログラム、出力音量設定プログラム、各種設定値などが記憶されている。【００４６】
従って、ハンドピース１４が超音波出力装置１５に接続され、図示しない超音波出力指示のためのスイッチが押下されると、ハンドピース１４の接続された出力コネクタとＨＰコネクタ接続検知回路５１とを介して超音波出力指示信号がＣＰＵ４２に入力される。ＣＰＵ４２は、出力回路４４から指定あるいは設定された値の超音波出力を、ハンドピース１４が接続された出力コネクタから出力するように、出力制御回路４１を制御する。【００４７】
また、高周波出力と超音波出力の同時出力が指定あるいは設定されているときは、図示しない超音波出力指示のためのスイッチが押下されると、ＣＰＵ４２は、超音波出力のために出力制御回路４１を制御すると共に、通信回路４９及び通信ケーブル１６を介して、高周波出力装置１２のＣＰＵ２８へ、高周波出力を指示する。高周波出力装置１２は、通信ケーブル１６と通信回路３１を介して超音波出力装置１５からの高周波出力指示を受信すると、電源回路２７、波形生成回路２１及びドッキングコネクタ接続検知回路３３を制御して、リレー切替回路２５の高周波出力を、ドッキングコネクタ２６ｅ、４６ｃを介して超音波出力装置１５へ供給する。その結果、出力コネクタ４６ａから超音波出力と高周波出力が同時に出力される。【００４８】
ＣＰＵ４２は、超音波出力が指示されているとき、すなわちハンドピース１４のスイッチが押下されてエネルギー出力が指示されている間、所定の音をスピーカ１９から出力し続ける。【００４９】
また、ＣＰＵ４２は、超音波出力装置１５において発生したエラーがあれば、そのエラーを検出して、所定のエラー音を音源回路５２を駆動してスピーカ１９から出力する。同時に、ＣＰＵ４２は、エラーの発生状態を示す情報を、フラッシュメモリ５３の所定の記憶領域に書き込む。例えば、超音波出力装置１５内において何らかのエラーが発生すると、そのエラー出力がＣＰＵ４２によって検出され、ＣＰＵ４２は、所定の記憶領域に、エラーが発生していることを示す１のフラグにセットする。エラーの発生原因がなくなると、エラー出力も出力されなくなるので、ＣＰＵ４２は、その所定の領域に書き込んでセットしたフラグを、エラーが発生していないことを示す０に書き換える。そして、ＣＰＵ４２は、エラーの有無を示すフラグの状態に変化があると、通信回路４９を介して、高周波出力装置１２へフラグ情報を送信する処理を行う。【００５０】
なお、出力音量レベルについて、高周波出力装置１２と超音波出力装置１５のいずれがマスタ装置であるかが、予め設定され、そのマスタ装置として設定あるいは指定された装置は、フラッシュメモリにそのマスタ装置であることを示す情報が記録される。マスタ装置の設定は、例えば、タッチパネルにその設定画面を表示し、ユーザに選択させることによって行われる。ここでは、超音波出力装置１５がマスタ装置として設定されているとして、以下、説明する。【００５１】
（出力音量レベルの設定）
次に、高周波出力装置１２と超音波出力装置１５における、音量設定について説明する。高周波出力装置１２と超音波出力装置１５のそれぞれにおいて、スピーカ１８，１９から出力される音の音量レベル、すなわち出力音量レベル、の設定を行うことができる。【００５２】
図４は、タッチパネル２０と２１に表示される出力音量設定画面の例を示す図である。例えば、術者等のユーザが高周波出力装置１２のタッチパネル２０の画面上に表示される所定のメニュー画面から所定の操作あるいはコマンド入力を行うと、図４の出力音量設定変更画面ＳＳが、タッチパネル２０の画面上に表示される。出力音量設定変更画面ＳＳは、タッチパネル２０の画面全体に表示されてもよいし、その画面の一部として表示されてもよいし、さらにあるいは、画面上にポップアップウインドウとして表示されてもよい。【００５３】
出力音量設定変更画面ＳＳは、出力音量の設定変更のための画面であることを示す文字６１とスピーカのアイコン６２の表示と共に、出力音量レベルが複数レベルの内のどのレベルにあるかを示すレベル表示部６３と、レベル変更のための操作ボタン表示部６４とを含む。操作ボタン表示部６４は、＋（プラス）ボタン６４ａと、−（マイナス）ボタン６４ｂとを含む。【００５４】
レベル表示部６３は、現在設定されている出力音量レベルを、複数段階（ここでは１０段階）のうちのどのレベルにあるかを、バーのレベルで表示する。図４では、出力音量レベルがレベル６に設定されていることが、１〜６個の白いブロックが縦に並んだ左側の６つのバーと、７〜１０個の斜線ブロックが縦に並んだ右側の４つのバーとの表示により、示されている。【００５５】
例えば、ユーザが操作ボタン表示部６４の＋（プラス）ボタン６４ａを１回タッチすると、出力音量レベルが１レベルだけ上がる。図４の表示状態で、出力音量レベルが１レベルだけ上がると、レベル表示部６３は、１〜７個の白いブロックが縦に並んだ左側の７つのバーと、８〜１０個の斜線ブロックが縦に並んだ右側の３つのバーの表示になり、出力音量レベルがレベル７に設定されていることを表示する状態に、レベル表示部６３の表示内容は変更される。【００５６】
同様に、ユーザが操作ボタン表示部６４の−（マイナス）ボタン６４ｂを１回タッチすると、出力音量レベルが１レベルだけ下がる。図４の表示状態で、出力音量レベルが１レベルだけ下がると、レベル表示部６３は、１〜５個の白いブロックが縦に並んだ左側の５つのバーと、６〜１０個の斜線ブロックが縦に並んだ右側の５つのバーの表示になり、出力音量レベルがレベル５に設定されていることを表示する状態に、レベル表示部６３の表示内容は変更される。【００５７】
出力音量レベルが設定変更されると、ＣＰＵ２８は、その変更された出力音量レベルのデータを、フラッシュメモリ３６に書き込んで記憶すると共に、通信回路３１を介して超音波出力装置１５へ、その変更された出力音量レベルのデータを送信する。そして、高周波出力装置１２でスピーカ１８から出力される音の出力音量レベルの設定が行われると、超音波出力装置１５においてもそのスピーカ１９から出力される音の同じ出力音量レベルも、高周波出力装置１２で設定変更された出力音量レベルと同じレベルに変更される。【００５８】
ユーザは、超音波出力装置１５のタッチパネル２１においても、同様にスピーカ１９から出力される音の出力音量レベルの設定変更を行うことができる。超音波出力装置１５において、音の出力音量レベルの変更がされると、ＣＰＵ４２によって、その変更された出力音量レベルのデータが、フラッシュメモリ５３に書き込まれて記憶されると共に、通信回路４９を介して高周波出力装置１２へ、その変更された出力音量レベルのデータを送信する。そして、超音波出力装置１５でスピーカ１９から出力される音の出力音量レベルの設定が行われると、高周波出力装置１２においてもそのスピーカ１８から出力される音の同じ出力音量レベルも、超音波出力装置１５で設定変更された出力音量レベルと同じレベルに変更される。【００５９】
よって、高周波出力装置１２と超音波出力装置１５のいずれか一方でスピーカから出力される音の出力音量レベルの設定変更を行うと、他方においてもスピーカから出力される音の同じ出力音量レベルも、一方で設定変更された出力音量レベルと同一の出力音量レベルに変更される。【００６０】
ここでは、高周波出力装置１２と超音波出力装置１５が同じ出力音量レベルに設定されると、２つのスピーカ１８と１９から出力される音の出力音量が同じである。しかし、高周波出力装置１２と超音波出力装置１５に設定される出力音量レベルの値と、実際に出力される音の出力音量が一致していない場合がある。例えば、高周波出力装置１２がレベル５の時に実際に出力される音の出力音量が、超音波出力装置１５がレベル７の時に実際に出力される音の出力音量と等しい場合がある。【００６１】
このような場合は、高周波出力装置１２と超音波出力装置１５は、それぞれ自己と相手の出力音量レベルの対応情報を有して、相手から設定変更された出力音量レベルの情報を受信すると、自己と相手において実際に出力される音の出力音量が等しくなるように、その対応情報に基づいて、自己の出力音量レベルを変更するようにすればよい。【００６２】
（出力音量レベルの連携処理）
次に、出力音量レベルの連携処理について説明する。ここでも、超音波出力装置１５が、出力音量レベルについてのマスタ装置として予め設定されている場合で説明する。  
（起動時）
図５は、高周波出力装置１２と超音波出力装置１５の起動時の出力音量レベルの設定処理の流れの例を示すフローチャートである。高周波出力装置１２と超音波出力装置１５のそれぞれは、電源スイッチがＯＮされて起動すると、ＣＰＵ２８と４２は、それぞれフラッシュメモリ３６とフラッシュメモリ５３から起動時音量設定プログラムを読み出して実行する。【００６３】
各ＣＰＵ（２８及び４２）は、所定のイニシャル処理を実行した後、他の装置との通信が可能な状態にあるか否かを判定する（Ｓ１）。通信回路３１（４９）により通信ケーブル１６を介する他の装置との通信が確立できれば、通信可能と判定される。各ＣＰＵは、他の装置との通信ができない場合は、他の装置と接続されていないとして、Ｓ２以下の処理は実行されない（Ｓ１：ＮＯ）。【００６４】
各ＣＰＵ（２８、４２）は、他の装置との通信ができる場合は（Ｓ１：ＹＥＳ）、他の装置へ出力音量レベルを問い合わせるコマンドを送信して、他の装置の出力音量レベルの情報を取得する（Ｓ２）。この場合、２つのＣＰＵ２８と４２は、共に相手からの出力音量レベルの情報を取得するが、高周波出力装置１２と超音波出力装置１５のそれぞれの通信回路が、音の出力音量情報を送信する出力音量情報送信部を構成し、かつその送信された出力音量情報を受信し、音出力制御部であるＣＰＵに伝達する出力音量情報受信部を構成する。【００６５】
各ＣＰＵは、他の装置の出力音量レベルの情報を取得すると、自己の出力音量レベルと比較し、自己の出力音量レベルと他の装置の出力音量レベルとが異なるか否かを判定する（Ｓ３）。【００６６】
自己の出力音量レベルと他の装置の出力音量レベルとが異なる場合（Ｓ３：ＹＥＳ）、各ＣＰＵは、自己の出力音量レベルをマスタの出力音量レベルに合わせる（Ｓ４）。すなわち、マスタでない装置側のＣＰＵは、受信した出力音量情報に基づいて、スピーカから出力される音の出力音量を制御し、マスタである装置のスピーカの出力音量と、自己のスピーカの出力音量が一致するように、受信した出力音量情報に基づいて、自己のスピーカの出力音量を制御する。【００６７】
ここでは、超音波出力装置１５が、出力音量レベルについてのマスタ装置として予め設定されているので、フラッシュメモリ５３にマスタ装置であることを示す情報が記録されている。超音波出力装置１５は、フラッシュメモリ５３からマスタ装置であることを示す情報を読み出すことによって、自己がマスタ装置であることを判定することができる。よって、超音波出力装置１５は、マスタ装置でない高周波出力装置１２の出力音量レベルに合わせる処理は、行わない。すなわち、マスタ装置である超音波出力装置１５のＣＰＵ４２は、Ｓ４の処理は、実行しない。【００６８】
一方、高周波出力装置１２のＣＰＵ２８は、フラッシュメモリ３６にマスタ装置であることを示す情報が記録されていないので、超音波出力装置１５の出力音量レベルの情報に、自己の出力音量レベルを合わせて、その出力音量レベルの情報をフラッシュメモリ３６に書き込んで記録する。例えば、高周波出力装置１２において出力音量レベルが７に設定されているが、マスタ装置である超音波出力装置１５の出力音量レベルが５であるときは、ＣＰＵ２８は、自己の出力音量レベルを５に変更する。【００６９】
自己の出力音量レベルと他の装置の出力音量レベルとが異ならない場合（Ｓ３：ＮＯ）、処理は、終了する。  
以上のようにして、高周波出力装置１２と超音波出力装置１５の起動時に、高周波出力装置１２と超音波出力装置１５の出力音量レベルは、同一レベルに合わせられる。【００７０】
（使用中）
図６は、高周波出力装置１２と超音波出力装置１５の使用中に、高周波出力装置１２と超音波出力装置１５の一方において出力音量レベルの変更があったとき、変更があったことを他方へ通知する通知処理の流れの例を示すフローチャートである。高周波出力装置１２と超音波出力装置１５のそれぞれは、自己の装置において出力音量レベルの変更があったか否かを判定する（Ｓ１１）。上述したように、出力音量レベルの変更は、図４に示した出力音量設定変更画面ＳＳにより行われる。【００７１】
各ＣＰＵは、それぞれのフラッシュメモリに出力音量レベルの情報が格納されているので、その情報を監視し、その情報が書き換えられたときに、出力音量レベル変更があったと判定することができる。【００７２】
出力音量レベル変更があったとき（Ｓ１１：ＹＥＳ）、各ＣＰＵは、他の装置へ変更された出力音量レベルの情報を、通信回路により送信し（Ｓ１２）、他の装置へ通知する。例えば、高周波出力装置１２において出力音量レベル変更があったときは、ＣＰＵ２８は、その変更後の出力音量レベルの情報を超音波出力装置１５へ送信する。よって、この場合、高周波出力装置１２における通信回路３１が、音についての出力音量情報を、超音波出力装置１５へ送信する出力音量情報送信部を構成する。出力音量レベル変更がなければ（Ｓ１１：ＮＯ）、各ＣＰＵは、処理は何もしない。【００７３】
図７は、高周波出力装置１２と超音波出力装置１５の使用中に、他の装置において出力音量レベルの変更があったときの出力音量レベルの変更処理、及びエネルギー出力指示がされたときの音出力処理の流れの例を示すフローチャートである。【００７４】
高周波出力装置１２と超音波出力装置１５のそれぞれは、他の装置において出力音量レベルの変更があったか否かを判定する（Ｓ２１）。他の装置における出力音量レベルの変更の有無は、図６のＳ１２において送信された情報に基づいて判定することができる。よって、その送信された情報を受信する通信回路は、送信された出力音量情報を受信し、音出力制御部であるＣＰＵに伝達する出力音量情報受信部を構成する。【００７５】
各ＣＰＵは、他の装置において出力音量レベルの変更があった場合（Ｓ２１：ＹＥＳ）、他の装置において変更された出力音量レベルに、自己の出力音量レベルを合わせる処理を行なう（Ｓ２２）。よって、音出力制御部である各ＣＰＵは、受信した出力音量情報に基づいて、他の装置において変更された出力音量レベルに、自己の出力音量レベルを合わせるように、スピーカから出力される音の出力音量を制御する。【００７６】
Ｓ２２の処理の後、処理はＳ２３へ移行する。各ＣＰＵは、他の装置において出力音量レベルの変更がない場合（Ｓ２１：ＮＯ）、Ｓ２３の処理を実行する。【００７７】
Ｓ２３では、各ＣＰＵは、エネルギー出力がオンになったか否かを判定する。この判定は、例えば、高周波出力装置１２では、フットスイッチ１７が押下されたか否かにより判定され、超音波出力装置１５では、ハンドピース１４の把持部１４ａに設けられた超音波出力指示のためのスイッチ（図示せず）が押下されたか否かによって判定される。エネルギー出力がオンでない場合（Ｓ２３：ＮＯ）、各ＣＰＵは、何の処理もしない。【００７８】
エネルギー出力がオンである場合（Ｓ２３：ＹＥＳ）、各ＣＰＵは、他の装置において、エラー音が出力されていないかを判定する（Ｓ２４）。このエラー音の出力の有無は、他の装置から送信された、エラーが発生していることを示すフラグ情報に基づいて行われる。【００７９】
他の装置においてエラー音が出力されていない場合（Ｓ２４：ＹＥＳ）、各ＣＰＵは、設定されている出力音量レベルで、所定の音を出力する（Ｓ２５）。高周波出力装置１２の場合、スピーカ１８から、エネルギー出力が行われていることを示す音が、その設定されている出力音量レベルで出力される。超音波出力装置１５の場合、スピーカ１９から、エネルギー出力が行われていることを示す音が、その設定されている出力音量レベルで出力される。高周波出力装置１２の出力音量レベルは、超音波出力装置１５の出力音量レベルと同一である。【００８０】
他の装置においてエラー音が出力されている場合（Ｓ２４：ＮＯ）、各ＣＰＵは、設定されている出力音量レベルよりも出力音量レベルを下げて、音を出力する（Ｓ２６）。高周波出力装置１２の場合、超音波出力装置１５がエラー音を出力しているので、スピーカ１８からは、エネルギー出力が行われていることを示す音が、その設定されている出力音量レベルよりも低い出力音量レベルで出力される。超音波出力装置１５の場合、高周波出力装置１２がエラー音を出力しているので、スピーカ１９からは、エネルギー出力が行われていることを示す音が、その設定されている出力音量レベルよりも低い出力音量レベルで出力される。これにより、エラー音を、術者等のユーザに確実に知らせることができる。【００８１】
以上のように、音出力制御部である各ＣＰＵは、他の医療装置のスピーカからエラー音などの所定の音が出力されるときは、自己の装置のスピーカから出力される音の出力音量を、他の医療装置のスピーカから出力される所定の音の出力音量よりも下げるように、自己の医療装置のスピーカから出力される音の出力音量を制御する。【００８２】
図８は、エネルギー出力指示がされたときの音出力の変化を説明するための図である。例えば、高周波出力装置１２においてエネルギー出力が指示されると、エネルギー出力が行われていることを示す音が、設定されている出力音量レベルで出力される。図８では、エネルギー出力が指示されると、出力音量レベル７で所定の音が出力されていることが示されている。【００８３】
エネルギー出力中に、超音波出力装置１５においてエラーが発生すると、超音波出力装置１５はエラー音を出力する。同時に、高周波出力装置１２のＣＰＵ２８は、超音波出力装置１５においてエラーの発生があったことを検出するので、エネルギー出力が行われていることを示す音を、設定された出力音量レベルよりも、所定のレベル分だけ下げて、出力する。図８では、エネルギー出力が行われていることを示す音をレベル７の出力音量レベルで出力していたが、他の装置におけるエラーの発生を検出すると、出力音量レベルを２レベル分下げ、エネルギー出力が行われていることを示す音をレベル５の出力音量レベルで出力している。その後、エラーが停止し、すなわちエラー状態が解消されたので、高周波出力装置１２は、エネルギー出力が行われていることを示す音をレベル７の出力音量レベルに戻して出力している。
なお、高周波出力装置１２と超音波出力装置１５は、出力音量レベルの連動を解除することが出来るようになっている。【００８４】
図９は、出力音量レベルの連動状態の確認及び設定をするための画面の例を示す図である。ユーザが、所定の操作を行うと、図９のような音量レベル確認・設定画面が、タッチパネルの画面上に表示される。【００８５】
図９は、超音波出力装置１５のタッチパネル２１に表示された音量レベル確認・設定画面ＳＳ１の例を示す。超音波出力装置１５と通信ケーブル１６により接続されている高周波出力装置１２についての連動状態が、連動状態表示部ＩＳ１に示される。連動状態表示部ＩＳ１には、連動ボタンｂ１と非連動ボタンｂ２が表示され、連動ボタンｂ１が明るく表示され、非連動ボタンｂ２が暗く（図９では斜線で示す）表示されることによって、超音波出力装置１５と高周波出力装置１２の両者の出力音量レベルが連動状態にあることを示している。【００８６】
この状態で、ユーザが非連動ボタンｂ２をタッチすることにより、ユーザは、超音波出力装置１５と高周波出力装置１２の両者の出力音量レベルを非連動状態に変更することができる。すなわち、音量レベル確認・設定画面ＳＳ１を用いて、ユーザは、超音波出力装置１５と高周波出力装置１２の両者の出力音量レベルの連動状態を確認し、かつ設定変更することができる。【００８７】
図１では、高周波出力装置１２と超音波出力装置１５が通信ケーブル１６で通信可能に接続されているが、それぞれが他の装置とも通信可能になっていて、出力音量レベルの連動・非連動が設定可能な場合は、他の装置についての連動状態も、音量レベル確認・設定画面ＳＳ１に表示され、連動・非連動の設定変更もできるようになっている。図９では、超音波出力装置１５と他の装置とは、出力音量レベルが非連動状態にあることが、連動状態表示部ＩＳ２に示されている。【００８８】
さらになお、高周波出力装置１２と超音波出力装置１５は、それぞれ複数の動作モードを有している場合がある。そのような場合、動作モード毎に、出力音量レベルの連動・非連動を設定できるようにしてもよい。【００８９】
以上のように、本実施の形態によれば、複数の医療装置間における出力音量レベルの連動あるいは連携が可能な医療システムを提供することができる。具体的には、出力音量レベルを他の医療装置と同一レベルに合わせることができ、さらに、他の医療装置においてエラーが発生したときには、そのエラー音が術者に確実に聞こえるように、エネルギー出力が行われていることを示す音の出力音量レベルを下げて、複数の医療装置間における出力音量レベルの連携を図ることが可能となる。【００９０】
次に本実施の形態の変形例を説明する。【００９１】
（変形例）
上述した実施の形態の医療システムでは、複数の医療装置が通信可能に接続され、その通信により、他の医療装置と出力音量レベルの連動あるいは連携が行われているが、本変形例の医療システムは、さらに、通信が不可能な医療機器の出力音との連携を可能にする。【００９２】
本変形例の高周波出力装置１２は、図２において点線で示すように、マイク１０１と音解析部１０２を有する。マイク１０１は、高周波出力装置１２の筐体に設けられ、周囲の音を受けて音声信号を出力する。音解析部１０２は、マイク１０１からの音声信号を入力して、周波数を解析し、その解析結果として、音声信号の特徴量を生成してＣＰＵ２８へ出力する。【００９３】
同様に、本変形例の超音波出力装置１５も、マイク１０３と音解析部１０４を有する。マイク１０３は、超音波出力装置１５の筐体に設けられ、周囲の音を受けて音声信号を出力する。音解析部１０４は、マイク１０３からの音声信号を入力して、周波数を解析し、その解析結果として、音声信号の特徴量を生成してＣＰＵ４２へ出力する。  
そして、各ＣＰＵ（２８又は４２）は、入力された音声信号の特徴量（音量も含む）を得て、対応するフラッシュメモリ（３６又は５３）に記憶することができる。【００９４】
高周波出力装置１２と超音波出力装置１５と共に使用され、手術室に設置される装置として、例えば心電計がある。その心電計はエラー発生時に、エラー音を出力するが、高周波出力装置１２と超音波出力装置１５とは通信が不可な場合がある。よって、心電計におけるエラーの発生を高周波出力装置１２と超音波出力装置１５へ通信で知らせることができない。術者は、高周波電流あるいは超音波振動による処置中に、心電計にエラーが発生したときに、迅速な対応が必要となる。そのため、術者がエネルギー出力が行われていることを示す音に邪魔されて心電計のエラー音を聞き取れないことがないようにしなければならない。【００９５】
そこで、本変形例では、高周波出力装置１２と超音波出力装置１５に、それぞれマイク１０１，１０３と、音解析部１０２，１０４を設け、心電計のエラー音を記憶させ、高周波出力装置１２と超音波出力装置１５が、心電計のエラー音が発生したことを検知できるように構成されている。【００９６】
高周波出力装置１２と超音波出力装置１５のそれぞれは、心電計のエラー音を記憶させる学習モードを有する。図１０は、本変形例に係る高周波出力装置１２と超音波出力装置１５の学習モードの処理の例を示すフローチャートである。以下、高周波出力装置１２の学習モードについて説明するが、超音波出力装置１５の学習モードの処理も同様であるので、説明は省略する。【００９７】
ユーザが、タッチパネル２０に対して所定の操作を行うと、高周波出力装置１２は学習モードになる。  
ユーザは、図示しない心電計を操作してエラー音を発生した状態にセットして、学習モードの処理を高周波出力装置１２に実行させる。ＣＰＵ２８は、マイク１０１から出力される音声信号を音解析部１０２により解析させて、音の特徴量データと音量データを含む解析結果の情報を取得する（Ｓ３１）。【００９８】
ＣＰＵ２８は、その解析結果の情報を、フラッシュメモリ３６に記憶する（Ｓ３２）。以上のようにして、高周波出力装置１２は、通信できない他の医療装置である心電計のエラー音を得てすなわち学習して、そのエラー音についての音情報を記憶装置であるフラッシュメモリ３６に記憶する。【００９９】
高周波出力装置１２は、学習モードで記憶した心電計のエラー音に基づいて、自己の発生する出力音量レベルを調整する。図１１は、高周波出力装置１２における心電計のエラー音発生時における処理の例を示すフローチャートである。以下、高周波出力装置１２にける心電計のエラー音発生時における処理について説明するが、超音波出力装置１５にける心電計のエラー音発生時における処理も同様であるので、説明は省略する。【０１００】
高周波出力装置１２が動作中において、ＣＰＵ２８は、音解析部１０２からの解析結果情報に基づいて、心電計のエラー音が発生したか否かを判定する（Ｓ４１）。この判定は、リアルタイムで入力される音解析部１０２からの解析結果の情報と、フラッシュメモリ３６に記憶されている心電計のエラー音の情報とを比較することによって行われる。入力される音解析部１０２からの解析結果の情報と、フラッシュメモリ３６に記憶されている心電計のエラー音の情報とが一致したときに、心電計のエラー音が発生したと判定される。【０１０１】
心電計のエラー音が発生していないと判定されたときは（Ｓ４１：ＮＯ）、処理は、何もしない。  
心電計のエラー音が発生していると判定されたときは（Ｓ４１：ＹＥＳ）、ＣＰＵ２８は、エネルギー出力が行われていることを示す音が現在出力中であるか否かを判定する（Ｓ４２）。エネルギー出力が行われていることを示す音が現在出力中であると判定されたとき（Ｓ４２：ＹＥＳ）、ＣＰＵ２８は、出力音量レベルを所定分だけ下げて、エネルギー出力が行われていることを示す音を出力する（Ｓ４３）。エネルギー出力が行われていることを示す音が現在出力中でないと判定されたとき（Ｓ４２：ＮＯ）、ＣＰＵ２８は、処理は、何もしない。【０１０２】
以上のように、音出力制御部である各ＣＰＵは、第３の医療装置としての心電計から出力される所定の音を検出すると、自己の医療装置のスピーカから出力される音の出力音量を、心電計から出力される音の出力音量よりも下げる。【０１０３】
従って、本変形例の医療システムによれば、高周波出力装置１２と超音波出力装置１５は、互いに通信により出力音量レベルの連携を取ると共に、高周波出力装置１２と超音波出力装置１５以外の他の医療装置において発生した音との連携も取ることができる。【０１０４】
以上のように、上述した実施の形態及び変形例によれば、複数の医療装置間における出力音量レベルの連動あるいは連携が可能な医療システムを提供することができる。【０１０５】
本発明は、上述した実施の形態及び変形例に限定されるものではなく、本発明の要旨を変えない範囲において、種々の変更、改変等が可能である。【０１０６】
本出願は、２０１２年１月９日に米国に出願された仮出願６１／５８８，３５３号を優先権主張の基礎として出願するものであり、上記の開示内容は、本願明細書、請求の範囲に引用されるものとする。
【図１】
0005465360.tif 000002
【図２】
0005465360.tif 000003
【図３】
0005465360.tif 000004
【図４】
0005465360.tif 000005
【図５】
0005465360.tif 000006
【図６】
0005465360.tif 000007
【図７】
0005465360.tif 000008
【図８】
0005465360.tif 000009
【図９】
0005465360.tif 000010
【図１０】
0005465360.tif 000011
【図１１】
0005465360.tif 000012